(57)【要約】【課題】浮き下を従来より長く確保できるようにするとともに、釣り竿の長さに係らず釣り糸を多く円滑に巻き取って掛かった魚を容易に手元まで引き上げできるようにする。【解決手段】釣り糸の結び目８の外径より大きい径の内径の糸孔２を浮き１に貫通するように設け、結び目８の外径より狭幅で且つ釣り糸の外径より拡幅な掛止溝５ｂと同掛止溝５ｂと連通し且つ結び目８の外径より大きな挿通孔５ａとを備えた補助具５を挿通孔５ａと糸孔２とが連通するように掛止溝５ｂ側を浮き１のハリス７側端部の位置で上下回動自在に軸支した。【選択図】          図１
2004329036.tif 000002
【特許請求の範囲】
【請求項１】
釣り針に刺した餌を水中で水の流れに沿って揺動させながら釣りを行うフカセ釣り用の浮きであって、釣り糸の途中に形成される係止部の外径より大きい径の内径の糸孔を浮き本体に貫通するように設け、釣り糸の係止部の外径より狭幅で且つ釣り糸の外径より拡幅な掛止溝と同掛止溝と連通し且つ釣り糸の係止部の外径より大きな挿通孔とを備えた補助具を挿通孔と糸孔とが連通するように上下に回動自在にその掛止溝側を浮き本体のハリス側端部の位置で軸支し、投入時は釣り糸の係止部を補助具の掛止溝に掛止することで浮き下を長く保持でき、巻き取り時は釣り糸の係止部を掛止溝から外して挿通孔と糸孔を通過させることで釣り針を竿元に引き寄せるまで巻き取りできるようにしたことを特徴とするフカセ釣り用浮き。
【請求項２】
浮き本体の糸孔のハリス側縁を糸孔の内径より拡径した拡幅部を形成し、釣り糸を補助具の掛止溝に挿入し易くした請求項１記載のフカセ釣り用浮き。
【請求項３】
拡幅部を補助具側に偏心させた請求項２記載のフカセ釣り用浮き。
【請求項４】
浮き本体の糸孔のハリス側端部に釣り糸の外径より拡幅なスリットを糸孔及び補助具の掛止溝と連通するように設け、釣り糸を補助具の掛止溝に挿入し易くした請求項１記載のフカセ釣り用浮き。
【請求項５】
浮き本体の補助具の軸支側と反対側に所定重量の重錘を設け、浮き本体を重錘の自重で補助具が上向くように反転させることで浮きに手を触れることなく釣り糸の係止部を補助具の掛止溝に掛止し易くした請求項１〜４いずれか記載のフカセ釣り用浮き。
【請求項６】
補助具が、線材を略Ｕ字状に折曲して挿通孔と掛止溝を形成し、同線材の基端部をかしめて軸支部を形成したものである請求項１〜５いずれか記載のフカセ釣り用浮き。
【請求項７】
浮き本体の補助具の軸支側と反対する道糸側にアタリ浮きを所定長さの連結具でアタリ浮きが浮き本体の補助具側に位置するように係留し、投入着水後アタリ浮きの浮力で浮き本体を傾斜させて釣り糸の係止部を補助具の掛止溝から外すことで巻き取りを容易に行えるようにした請求項１〜６いずれか記載のフカセ釣り用浮き。
【発明の詳細な説明】
【０００１】
【発明の属する技術分野】
本発明は、釣り針に刺した餌を水中で水の流れに沿って揺動させながら釣りを行うフカセ釣り用の浮きに関し、詳しくは投入時に浮き下を長くでき、巻き取り時は浮き下の釣り糸まで巻き取りを可能にする技術に関する。
【０００２】
【従来の技術】
従来、釣り針に刺した餌を水中で水の流れに沿って揺動させながら釣りを行うフカセ釣りという手法がある。この手法は、釣り針に刺した餌が水中で本物の餌のように動くことで魚の警戒心を刺激することなく掛かりを良好にするもので、特に磯部でメジナ等の大型魚を釣る際に用いられている。
【０００３】
ところで、前記フカセ釣りにおいて、浮き下の長さは通常浮きを道糸とハリスの間にシモリ等を介して所定位置に保持することで決めており、浮き下が長いほど餌を水深の深いところで揺動させることができて魚が掛かり易くなる。しかし、浮き下を長くすると釣り糸の巻き取り時に浮きとシモリが釣り竿のガイドを通過できない為釣った魚を容易に引き上げられず、浮き下が３〜４ｍに制限される等少なくとも釣り竿の長さより長くできない問題があった。
【０００４】
そこで、浮き本体に釣り糸の途中に形成される係止部の外径より大きい径の内径を有する糸孔を上下に貫通するように設け、浮き本体の糸孔のハリス側端部に釣り糸の係止部の外径より小さく且つ釣り糸の外径より大きい間隙のスリットを前記糸孔と連通するように設けたフカセ釣り用浮きが開発された。この浮きは、投入時は釣り糸の係止部をスリット縁に係止することで浮き下を長く保持でき、巻き取り時は釣り糸の係止部をスリットから外して糸孔を通過させることで釣り針を竿元に引き寄せるまで巻き取りできるようにしたことを特徴としている。
【０００５】
しかしながら、釣り場で天候により強風が吹いている場合、仕掛け投入前において釣り糸が揺れて係止部が浮きのスリットに上手く係止させるのが難しいことがあり、熟練を必要としていた。
【０００６】
【発明が解決しようとする課題】
本発明が解決しようとする課題は、従来のこれらの問題点を解消し、浮き下を従来より長く確保できるようにするとともに、釣り竿の長さに係らず釣り糸を多く円滑に巻き取って掛かった魚を容易に手元まで引き上げできるようにするフカセ釣り用浮きを提供することにある。
【０００７】
【課題を解決するための手段】
かかる課題を解決した本発明の構成は、
１）  釣り針に刺した餌を水中で水の流れに沿って揺動させながら釣りを行うフカセ釣り用の浮きであって、釣り糸の途中に形成される係止部の外径より大きい径の内径の糸孔を浮き本体に貫通するように設け、釣り糸の係止部の外径より狭幅で且つ釣り糸の外径より拡幅な掛止溝と同掛止溝と連通し且つ釣り糸の係止部の外径より大きな挿通孔とを備えた補助具を挿通孔と糸孔とが連通するように上下に回動自在にその掛止溝側を浮き本体のハリス側端部の位置で軸支し、投入時は釣り糸の係止部を補助具の掛止溝に掛止することで浮き下を長く保持でき、巻き取り時は釣り糸の係止部を掛止溝から外して挿通孔と糸孔を通過させることで釣り針を竿元に引き寄せるまで巻き取りできるようにしたことを特徴とするフカセ釣り用浮き
２）  浮き本体の糸孔のハリス側縁を糸孔の内径より拡径した拡幅部を形成し、釣り糸を補助具の掛止溝に挿入し易くした前記１）記載のフカセ釣り用浮き
３）  拡幅部を補助具側に偏心させた前記２）記載のフカセ釣り用浮き
４）  浮き本体の糸孔のハリス側端部に釣り糸の外径より拡幅なスリットを糸孔及び補助具の掛止溝と連通するように設け、釣り糸を補助具の掛止溝に挿入し易くした前記１）記載のフカセ釣り用浮き
５）  浮き本体の補助具の軸支側と反対側に所定重量の重錘を設け、浮き本体を重錘の自重で補助具が上向くように反転させることで浮きに手を触れることなく釣り糸の係止部を補助具の掛止溝に掛止し易くした前記１）〜４）いずれか記載のフカセ釣り用浮き
６）  補助具が、線材を略Ｕ字状に折曲して挿通孔と掛止溝を形成し、同線材の基端部をかしめて軸支部を形成したものである前記１）〜５）いずれか記載のフカセ釣り用浮き
７）  浮き本体の補助具の軸支側と反対する道糸側にアタリ浮きを所定長さの連結具でアタリ浮きが浮き本体の補助具側に位置するように係留し、投入着水後アタリ浮きの浮力で浮き本体を傾斜させて釣り糸の係止部を補助具の掛止溝から外すことで巻き取りを容易に行えるようにした前記１）〜６）いずれか記載のフカセ釣り用浮き
にある。
【０００８】
【作用】
本発明によれば、釣り糸の係止部を上下に回動する補助具で掛止するようにしたから、係止部を掛止する位置が浮きの傾きや揺れに応じて適切に変化し、素人でも釣り糸の係止部を確実に掛止して浮き下を任意の長さにできる。
【０００９】
【発明の実施の形態】
本発明の浮き本体の糸孔のハリス側縁には、糸孔の内径より拡径した拡幅部や補助具側に偏心させた拡幅部，釣り糸の外径より拡幅なスリットを糸孔及び補助具の掛止溝と連通するように設けると、釣り糸を補助具の掛止溝に案内し易くできる。また、浮き本体の補助具の軸支側と反対側に所定重量の重錘を設けると、投入時に浮き本体を重錘の自重で補助具が上向くように反転させることで浮きに手を触れることなく釣り糸の係止部を補助具の掛止溝に掛止し易くできる。
【００１０】
浮き本体としては直径３ｃｍ程の球状が一般的であるが、これに限定されるものではなく、例えば楕円状のものや細長状のもの等様々な形状や大きさ、材質のものに応用でき、狙う魚やそれに用いる仕掛け、潮の状況、ポイントに応じて任意に選定されるものである。なお、本発明でいう係止部とは、道糸とハリスの結び目、又はそれらを接続するサルカン等の釣り具をいう。以下、本発明の実施例を図面に基づいて具体的に説明する。
【００１１】
【実施例】
図１〜９に示す実施例は、本発明の浮きを使用してフカセ釣りを行う例である。図１は実施例の浮きの斜視図、図２は図１のＡ−Ａ断面図、図３は実施例の補助具の説明図、図４は実施例の仕掛けの説明図、図５は実施例のフカセ釣りにおける投入前の工程を示す説明図、図６は実施例の浮きにおける釣り糸の状態を示す説明図、図７は実施例の釣り糸の掛止を示す説明図、図８は実施例のフカセ釣りの説明図、図９は実施例の釣り糸の巻き取り後の状態を示す説明図である。
【００１２】
図中、１は浮き、２は糸孔、２ａはテーパ部、３はスリット、４は重錘、５は補助具、５ａは挿通孔、５ｂは掛止溝、５ｃは軸支部、６は道糸、７はハリス、８は結び目、９はシモリ、１０は釣り針、１１は釣り竿、１２はリール、Ｅは餌、Ｆは魚、Ｉは磯、Ｗは海である。
【００１３】
本実施例の浮き１は、図１〜３に示すように直径２．５ｃｍ、長さ３．５ｃｍのプラスチック製からなる玉子型で、内径２ｍｍの糸孔２を貫通するように直線状に形成するとともに、同糸孔２の両端に釣り糸の切断を防止する所定角度のテーパ部２ａを形成している。浮き１の片端側には０．７ｍｍの間隙を有するスリット３を糸孔２から３０°傾斜させた角度に且つ糸孔２と連通するように形成している。浮き１のスリット３と反対側には重量３ｇの鉛製の重錘４を埋設している。
【００１４】
この浮き１のスリット３側端部に、０．７ｍｍ幅の掛止溝５ｂと同掛止溝５ｂと連通する内径２ｍｍの挿通孔５ａを備えた横断面略くの字状に折曲した全体がＵ字状の金属製の補助具５を挿通孔５ａと糸孔２とが連通するように上下に回動自在に掛止溝５ｂ側で軸支している。
【００１５】
一方、図４，８，９に示す釣り竿１１は５．３ｍの１．２号竿、道糸６は３号、ハリス７は長さ７ｍの２．５号、釣り針１０はグレ針７号を使用し、４０ｃｍ以上のメジナを狙う際に使用する仕掛けとしている。道糸６とハリス７の結び目８は可能な限り小さくなるようにし、少なくとも外径が補助具５の掛止溝５ｂより大きくするとともに浮き１の糸孔２の内径より小さく且つスリット３の間隙より大きいものにする。結び方は一番切れ難い双方４面締めとし、最後に必ず切り捨ての部分を強く引いて強固に緊締する。なお、浮き１を流さない為にハリス７に浮き止めのシモリ９を入れておく。
【００１６】
本実施例では、図５（ａ）に示すようにまずハリス７を竿先から引き出して結び目８を竿先に掛けた後、その状態でハリス７の下端部を持ち、図５（ｂ）に示すように竿先を下向きに傾斜させて浮き１を竿先に送り、結び目８を竿先より３０ｃｍ程出す。
【００１７】
次に、図５（ｃ）に示すようにハリス７の下端を持って竿先から直線状に張り、竿先を下向きに傾斜させて浮き１を道糸６に移動させる。このとき、図６（ａ），図７（ａ）に示すように結び目８の外径は糸孔２及び補助具５の挿通孔５ａの内径より小さく形成されているから、結び目８が円滑に通過して浮き１が道糸６側に移動する。
【００１８】
次に、図５（ｄ）に示すようにハリス７を緩めると浮き１が自重で下方に下がり、図６（ｂ），図７（ｂ）に示すように浮き１が重錘４の自重で補助具５が上向いて道糸６が補助具５の掛止溝５ｂ及びスリット３に挿入され、結び目８が補助具５の掛止溝５ｂに掛止されて浮き１下が所定長さに保持される。
【００１９】
そして、図８に示すように仕掛けを所望のポイントに向けて投入すると、リール１２から道糸６が引き出されて浮き１とハリス７と釣り針１０に刺した餌Ｅがポイントの海面に着水して沈降し、潮の流れにより浮き１下のハリス７及び餌Ｅが揺動してフカセ釣りが行われる。
【００２０】
魚Ｆが掛かると道糸６及びハリス７が直線状に張り、補助具５の掛止溝５ｂ及び浮き１のスリット３から結び目８が外れて糸孔２を下方に通過し、その後リール１２で道糸６及びハリス７を十分に巻き取り、図９に示すように魚Ｆを手元まで容易に引き上げることができる。
【００２１】
本実施例はこのように構成したから、浮き１下を従来より長く確保できる一方、釣り竿１１の長さに係らず道糸６とハリス７を十分に巻き取って掛かった魚Ｆを容易に引き上げることができる。特に釣り糸の結び目８を上下に回動する補助具５で掛止するようにしたから、結び目８を掛止する位置が浮き１の傾きや揺れに応じて適切に変化し、素人でも釣り糸の結び目８を確実に掛止して浮き下を任意の長さに保持できる。
【００２２】
また、空上げ時は結び目８を出して引き上げたり強風時に釣り針１０まで来た浮き１をつかむ方法、あるいはハリス７に浮き止めを付けて浅棚から深棚に応じて浮き１下を調整する方法等に応用できてセットの手間を省略できる。さらに、本実施例の浮き１を使用することにより浮き止めの移動とガン玉の脱着のみでフカセから全遊動半遊動固定浮き釣りにワンタッチで変更でき、万能浮きとして有用である。
【００２３】
図１０，１１に示すのは、本発明のフカセ釣り用浮きを用いた他の仕掛けの例である。図１０は実施例の他の例の仕掛けの説明図、図１１は実施例の他の例の仕掛けの使用状態を示す説明図である。図中、１３はアタリ浮き、１４は連結具である。
【００２４】
実施例の他の例では、図１０に示すように浮き１の補助具５の軸支側と反対する道糸６側に球状のアタリ浮き１３を長さ３０ｃｍのピアノ線からなる湾曲した連結具１４でアタリ浮き１３が浮き１の補助具５側に位置するように係留している。従って、図１１に示すように仕掛けを投入して着水後、アタリ浮き１３の浮力で浮き１を傾斜させて結び目８が補助具５の掛止溝５ｂから自動的に外れるから、特段の操作を行うことなく巻き取りが容易にできるものである。その他、符号、構成は実施例と同じである。
【００２５】
【発明の効果】
以上説明したように、本発明によれば、浮き下を従来より長く確保できるとともに釣り竿の長さに係らず釣り糸を多く円滑に巻き取って掛かった魚を手元まで容易に引き上げし得るフカセ釣り用浮きを提供できる。
【図面の簡単な説明】
【図１】実施例の浮きの斜視図である。
【図２】図１のＡ−Ａ断面図である。
【図３】実施例の補助具の説明図である。
【図４】実施例の仕掛けの説明図である。
【図５】実施例のフカセ釣りにおける投入前の工程を示す説明図である。
【図６】実施例の浮きにおける釣り糸の状態を示す説明図である。
【図７】実施例の釣り糸の掛止を示す説明図である。
【図８】実施例のフカセ釣りの説明図である。
【図９】実施例の釣り糸の巻き取り後の状態を示す説明図である。
【図１０】実施例の他の例の仕掛けの説明図である。
【図１１】実施例の他の例の仕掛けの使用状態を示す説明図である。
【符号の説明】
１  浮き
２  糸孔
２ａ  テーパ部
３  スリット
４  重錘
５  補助具
５ａ  挿通孔
５ｂ  掛止溝
５ｃ  軸支部
６  道糸
７  ハリス
８  結び目
９  シモリ
１０  釣り針
１１  釣り竿
１２  リール
１３  アタリ浮き
１４  連結具
Ｅ  餌
Ｆ  魚
Ｉ  磯
Ｗ  海
【図１】
2004329036.tif 000003
【図２】
2004329036.tif 000004
【図３】
2004329036.tif 000005
【図４】
2004329036.tif 000006
【図５】
2004329036.tif 000007
【図６】
2004329036.tif 000008
【図７】
2004329036.tif 000009
【図８】
2004329036.tif 000010
【図９】
2004329036.tif 000011
【図１０】
2004329036.tif 000012
【図１１】
2004329036.tif 000013